(57)【要約】  本発明は、回転対称の被加工物を加工する間に、ツール（３）を監視するための、マルチリングアンテナ（１）及びＲＦＩＤシステムの使用に関する。マルチリングアンテナ（１）は、回転対称の被加工物を囲むように、回転対称ツール（３）の近くのツールキャリア（２）上に配置される。この回転対称ツール（３）はＲＦＩＤトランスポンダ（４）を保持する。ＲＦＩＤトランスポンダ（４）は、マルチリングアンテナ（１）の環状の電磁界に位置されるよう、回転対称ツール（３）上に配置される。マルチリングアンテナ（１）は、動いている間及び静止している間に全ての位置で、回転対称ツール（３）上のＲＦＩＤトランスポンダ（４）の問い合わせが可能なように、ツールキャリア（２）上は配置される。【選択図】図１
2021526776.tif 000002
【特許請求の範囲】
【請求項１】
回転対称の被加工物を加工するためのデバイスにおいて、ＲＦＩＤシステムを使用するときにツールを監視するための、マルチループアンテナ（１）の使用方法。
【請求項２】
接続手段を介した導電性層の接続を伴い、前記導電性層の成層、及び絶縁層による前記導電性層の分離から形成され、ＲＦＩＤシステムが装備される、請求項１に記載のマルチループアンテナ（１）の使用方法。
【請求項３】
回転対称の被加工物を加工するときに、ツール（３）を監視するための、マルチループアンテナ（１）及びＲＦＩＤシステムの使用方法であって、マルチループアンテナ（１）が回転対称ツール（３）を囲み、かつ前記回転対称ツール（３）がＲＦＩＤトランスポンダ（４）を保持するように、前記マルチループアンテナ（１）は前記回転対称ツール（３）の近くのツールキャリア（２）上に配置され、前記ＲＦＩＤトランスポンダ（４）の位置は、前記マルチループアンテナ（１）の環状の電磁界に配置されるように、前記回転対称ツール（３）上に配置され、前記マルチループアンテナ（１）は、動いている間及び静止しているときに任意の位置で、前記回転対称ツール（３）上の前記ＲＦＩＤトランスポンダ（４）に問い合わせることが可能となるよう、前記ツールキャリア（２）上に配置される、マルチループアンテナ（１）及びＲＦＩＤシステムの使用方法。
【請求項４】
回転対称の被加工物を加工するときの、ツール（３）を監視する装置であって、マルチループアンテナ（１）が回転対称ツール（３）を駆動し、かつ前記回転対称ツール（３）がＲＦＩＤトランスポンダ（４）を保持するように、前記マルチループアンテナ（１）は、前記回転対称ツール（３）の近傍のツールキャリア（２）上に配置され、前記回転対称ツール（３）上の前記ＲＦＩＤトランスポンダ（４）の位置は、前記マルチループアンテナ（１）の環状の電磁界に位置されるように配置され、前記マルチループアンテナ（１）は、動いているとき及び静止しているときに任意の位置で、前記回転対称ツール（３）上の前記ＲＦＩＤトランスポンダ（４）に問い合わせることが可能となるよう、前記ツールキャリア（２）上に配置される、ツール（３）を監視する装置。
【発明の詳細な説明】
【技術分野】
【０００１】
本発明は、金属加工、特に回転対称の被加工物を加工するための固定具における、マルチループアンテナの使用に関する。
【０００２】
このような金属加工用の固定具は、特に、抵抗溶接技術における電極キャップを再加工するために使用されるが、適用はそれに限定されない。以下の説明は、主にこの適用領域に焦点を当てる。
【背景技術】
【０００３】
ロボットトングまたは手動トングに使用される、抵抗溶接技術のための電極は、溶接の強度及び再現性を保証するために、キャップの摩耗に応じて再加工する必要がある。自動化プロセスの中に統合されるために、この加工プロセスに要する時間は、短く保つ必要がある。キャップの大部分で元の形状を再生し、さらに材料の取り外しを最小限に抑えることによって、キャップの長い有効寿命を保証するのが望ましい。この目的のため、駆動されたミリングカッターホルダに切断挿入部を含んだデバイスを使用することが知られている（独国実用新案第２０１００１０２号明細書）。
【０００４】
このようなデバイスの１つの影響は、材料が各加工ステップにおいて取り外され、それによってキャップの体積が減少し、かつその有効寿命を制限することである。加えて、生じた削りくずを外部に確実に消散させる必要があり、そのため、ミリングカッターの特別な構造設計、及び削りくずを導き出すための追加のデバイスを必要とする。
【０００５】
独国特許発明第１９９３０４８５号明細書は、溶接電極キャップを再形成するためのデバイスを記載している。そこでは、数対の溶接電極キャップが、反対側の作業面を使用して溶接ガンを用いて形状に加工される。この場合、形状を作り出す表面は、ツール軸回りに配置された、いくつかの表面セグメントから成る。
【０００６】
回転面、好ましくは抵抗溶接のための電極キャップの面を伴う、被加工物をミリング加工するための、空気圧または電気で駆動されるミリングカッターホルダで構成されたデバイスが知られている。このデバイスは、解放可能に相互接続された上部及び下部を備え、そのミリングカッターホルダにおいて、取り付けられた２つの挿入部（３、４）が存在し、そのうちの一方は側面カッター（４）として設計され、他方は面カッター（３）として設計され、それらの間には、削りくずを除去するために配置された切り欠き部（５）が存在する。
【０００７】
回転対称の金属製被加工物を加工するためのデバイス、詳細には、加工ヘッドの凹部に取り付けられた打抜き型を伴う、空気圧または電気で駆動される加工ヘッドによって、電極キャップを再加工するためのデバイスによる解決策が知られており、他の実施形態において、追加としてこの加工ヘッドに一体化された少なくとも１つの形成ローラが装備される。打抜き型の外形、及び他の実施形態における形成ロータの作業領域も、所望の被加工物の外面形状に対応する。
【０００８】
ミリングツールの不適切な選択は、上述のような電極キャップ用ミリングカッターを使用する際に問題となる場合がある。
【０００９】
電極キャップの最終形状は、画定された外形を伴う打抜き型を用いたミリングツールの選択によって、最終的に決定される。高度に自動化されたプロセスで使用される場合、溶接ロボットさらには自動キャップカッターを使用するときに、ミリングツールの不適切な選択を回避する必要があることが想定され得る。
【００１０】
しかし、ミリングツールを手動で選択することが、不適切な選択をもたらす場合があり、そのために高い事後処理コストをもたらす場合があるという点は、欠点である。
【００１１】
回転対称の金属製被加工物を監視するための電子的方法における、マルチループアンテナと呼ばれる、ラウンドアンテナまたは多層アンテナの使用が知られている。
【００１２】
例えば、米国特許出願公開第２００９／０２９５６５９号明細書は、ＲＦＩＤアンテナ装置、磁界生成デバイス、及び磁界集束装置を主張している。
【００１３】
この場合、キャリア信号を用いて励起されるよう構成された、ＲＦＩＤアンテナ装置が主張されている。ＲＦＩＤアンテナ装置は、ループアンテナ装置を伴う誘導性構成要素を備える。このループアンテナ装置の外周は、キャリア信号の波長の２５％以下であり、少なくとも１つの容量性構成要素が、誘導性構成要素に連結される。
【００１４】
請求項２によると、このデバイスは、第１のスロット装置に隣接した第２のスロット装置を有する。
【００１５】
さらに、特別に装備されたＲＦＩＤアンテナ装置を主張し、これはマルチセグメントループアンテナ装置を備える。マルチセグメントループアンテナ装置は：少なくとも１つの第１のアンテナセグメントであって、少なくとも１つの第１のアンテナセグメント内におけるキャリア信号の位相シフトを低減するよう構成された、少なくとも１つの第１の位相シフト要素を有し、ここで、少なくとも１つの第２のアンテナセグメントは、少なくとも１つの第２のアンテナセグメント内におけるキャリア信号の位相シフトを低減するよう構成された、少なくとも１つの第２の位相シフト要素を備えた、少なくとも１つの第１のアンテナセグメントと；少なくとも１つの遠場アンテナアレイであって、各アンテナセグメントの長さはキャリア信号の波長の２５％以下である、少なくとも１つの遠場アンテナアレイと；マルチセグメントループアンテナ装置のインピーダンスを調整するよう構成された、少なくとも１つの適合構成要素と、を備える。
【００１６】
国際特許第２００９／０４９１９１号（米国特許出願公開第２００８／０７９５５５号明細書）は、パッチアンテナ及びこのパッチアンテナの製造方法を主張している。このパッチアンテナは、複数の放射層（１０）を有し、各放射層は：第１の平坦な誘電基板（１４）と；誘電支持材料（１４）の第１の側における放射素子（１２）と；放射素子（１４）の外周の周りの誘電支持材料（１４）で、連続した内側外周の側壁（１８）及び連続した外側外周の側壁（２０）を形成する、凹部（１６）と；内側外周の側壁（１８）及び外側外周の側壁（２０）の間に位置され、内側基板部（２４）を、誘電支持材料（１４）の外側基板部（２６）に固定して物理関係で保持するよう機能する、いくつかのストリップ（２８）と；内側外周の側壁（１８）及び／または外側外周の側壁（２０）に配置された、導電性コーティングと；第３の側部及び反対側の第４の側部を伴い、第３の側部に位置されたマイクロストリップ給電体（３２）を含む、第２のシート状の誘電支持材料（３６）と；第４の側部に配置され、放射素子（１２）及びマイクロストリップ給電体（３２）の間に穴（４０）を有する、接地板（３８）と、を備える。
【００１７】
中国実用新案第２０３８８３１１９号明細書は、多層マイクロストリップアンテナを主張している。このアンテナは、接地プレート（４）、及びベースプレート（４）上に配置されたマイクロストリップアンテナの複数の層を備えた特徴を有する、独立したリングであって、マイクロストリップアンテナの各々が放射のために配置された、独立したリングと、クーラ中のクーラを供給するための同軸供給部、及びベースプレート（４）を貫通して誘電体支持材料を抜けて進む、同軸供給穴であって、マイクロストリップアンテナの誘電基板上に、各々隣接した２層のマイクロストリップアンテナの下層において配置された、同軸供給穴と、を伴う。上部のマイクロストリップアンテナの、同軸給電体によって形成された供給面は、金属製の貫通穴に配分される。
【００１８】
別の実施形態において、初めの特許請求項に記載された２層のマイクロストリップアンテナから逸脱した、この解決策は、多層マイクロストリップアンテナの多層構造を主張している。
【先行技術文献】
【特許文献】
【００１９】
【特許文献１】独国実用新案第２０１００１０２号明細書
【特許文献２】独国特許発明第１９９３０４８５号明細書
【特許文献３】米国特許出願公開第２００９／０２９５６５９号明細書
【特許文献４】国際特許第２００９／０４９１９１号（米国特許出願公開第２００８／０７９５５５号明細書）
【特許文献５】中国実用新案第２０３８８３１１９号明細書
【発明の概要】
【発明が解決しようとする課題】
【００２０】
したがって本発明の目的は、ミリングツールの選択を電子制御することを実現できる解決策を提案することである。
【課題を解決するための手段】
【００２１】
本発明によると、この目的は、以降ではマルチループアンテナと呼ばれる多層ループアンテナの使用を介して実現される。マルチループアンテナは、少なくとも２つの導電性層を備え、それらは絶縁層によって分離される。加えて、使用されるアンテナは、アンテナ構造の上及び下、すなわち可能な接触面において、１層または複数層の絶縁層を有する。
【００２２】
以降で、本発明による解決策を、図１の電極キャップ用ミリング機の例に基づいて、より詳細に説明する。
【図面の簡単な説明】
【００２３】
【図１】例として電極キャップ用ミリング機を使用した、金属加工、特に回転対称の金属製被加工物を加工するためのデバイスにおける、本発明によるマルチループアンテナ１の装置を示す図である。
【発明を実施するための形態】
【００２４】
マルチループアンテナ１は、回転対称ツール３を囲むように、例においては電極キャップ用ミリングツールである回転対称ツール３の近くの、ツールキャリア２に配置される。
この場合、マルチループアンテナ１は、アンテナ接続部５を介して、プロセス監視及び制御技術部に接続される。
【００２５】
ＲＦＩＤトランスポンダ４は、回転対称ツール３に取り付けられる。
【００２６】
ＲＦＩＤは、送信機−受信機システムの技術を指し、自動かつ非接触の認証のため、ならびに、電波を使用して対象物及び生物の位置を特定するために使用される。
【００２７】
ＲＦＩＤシステムはトランスポンダを備える。これは、対象物または生物の上または中に位置され、識別コード、及びこの識別コードを読み取るためのリーダを含む。
【００２８】
ＲＦＩＤトランスポンダ４の位置は、回転対称ツール３がマルチループアンテナ１の環状の電磁界内に位置されるよう、回転対称ツール３上に配置される。
【００２９】
マルチループアンテナ１は、動いているとき及び静止しているときに、任意の位置における回転対称の構成要素上のＲＦＩＤトランスポンダ４に問い合わせが可能となるよう、ツールキャリア２上に配置される。
【００３０】
回転対称ツール３を監視するために、このマルチループアンテナ１を用いて、ＲＦＩＤに書き込むこと、及びＲＦＩＤから読み取ることが可能である。
【００３１】
これは、回転対称ツール３の存在を検出するのを可能にするだけではなく、回転対称ツール３のＲＦＩＤトランスポンダ４の特定の情報を読み取ること及び書き込むこと、したがって監視することも可能にする。
【００３２】
詳細には、これはプロセス監視目的のために可能であり、ツールタイプ、ツールのシリアルナンバー、動作時間、中断時間などの情報を読み取ることができること、ならびに、例えば前に使用したツールのツールタイプ、前に使用したツールのシリアルナンバー、前に使用したツールの動作時間、及び前に使用したツールの中断時間を読み取ることは、利点である。
【００３３】
監視され、回収されることになる情報は、現在のツール、ならびに統計記録のためのプロセス監視のために有利なデータを、直接的にプロセス監視及び制御することと、プロセスに関するデータ及び情報を評価することと、を可能にする。
【図１】
2021526776.tif 000003
【手続補正書】
【提出日】平成31年3月29日(2019.3.29)
【手続補正１】
【補正対象書類名】特許請求の範囲
【補正対象項目名】全文
【補正方法】変更
【補正の内容】
【特許請求の範囲】
【請求項１】
ＲＦＩＤシステムを使用するときの、ミリングツール（３）を監視するための電極キャップ用ミリング機におけるマルチループアンテナ（１）の使用方法において、
前記マルチループアンテナは、層、導電性層及び絶縁層による導電性層の分離、接続手段を介した前記導電性層の接続、並びにＲＦＩＤシステムの装備から構成されていることを特徴とする、マルチループアンテナ（１）の使用方法。
【請求項２】
ＲＦＩＤシステムを使用するときの、ミリングツール（３）を監視するための電極キャップ用ミリング機におけるマルチループアンテナ（１）の使用方法において、
マルチループアンテナ（１）は、前記マルチループアンテナ（１）が回転対称ツール（３）を取り囲み、かつ回転対称ミリングツール（３）がＲＦＩＤトランスポンダ（４）を保持するように、ツールキャリア（２）上に前記回転対称ツール（３）の近傍で、配置されており、
前記ＲＦＩＤトランスポンダ（４）の位置は、前記ＲＦＩＤトランスポンダが前記マルチループアンテナ（１）の環状の電磁界内に存在するように前記回転対称ミリングツール（３）上に配置されており、
前記マルチループアンテナ（１）は、運動時及び静止時に任意の位置において、前記回転対称ミリングツール（３）における前記ＲＦＩＤトランスポンダ（４）の問い合わせが可能となるように前記ツールキャリア（２）上に配置されている、マルチループアンテナ（１）の使用方法。
【請求項３】
回転対称ミリングツール（３）のＲＦＩＤトランスポンダ（４）は、前記マルチループアンテナ（１）により書き込まれ、かつ読み出され、それにより前記ミリングツールの選択を電子的にコントロールすることができ、並びに例えばミリングツールタイプ、ミリングツールのシリアルナンバー、動作時間、中断時間などの特定の情報が評価されることを特徴とする、請求項１及び２に記載の使用方法。
【請求項４】
回転対称の被加工物を加工するときの、電極キャップ用ミリング機においてミリングツール（３）を監視する装置において、
多層ループ状のマルチループアンテナ（１）とＲＦＩＤシステムとが、回転対称の被加工物を加工するときに互いに通信するように配置されており、
前記マルチループアンテナ（１）は、前記マルチループアンテナ（１）が回転対称ミリングツール（３）を取り囲み、かつ回転対称ツール（３）がＲＦＩＤトランスポンダ（４）を保持するように、ツールキャリア（２）上に前記回転対称ツール（３）の近傍で、配置されており、
前記ＲＦＩＤトランスポンダ（４）の位置は、前記ＲＦＩＤトランスポンダが前記マルチループアンテナ（１）の環状の電磁界内に存在するように、前記回転対称ミリングツール（３）上に配置されており、
前記マルチループアンテナ（１）は、運動時及び静止時に任意の位置において、前記回転対称ミリングツール（３）における前記ＲＦＩＤトランスポンダ（４）の問い合わせが可能となるように前記ツールキャリア（２）上に配置されている、ミリングツール（３）を監視する装置。
【国際調査報告】
2021526776.tif 000004
2021526776.tif 000005
2021526776.tif 000006
2021526776.tif 000007